(57)【要約】【課題】  小型且つ安価でありながら、高い浄水性が得られるようにする。【解決手段】  管体２の管外周２ｂに、管内２ａを流れる水道水Ｗａの流水方向に対して斜め方向に多数の小型の磁石３を螺旋状に配置する。そして、その磁石３の傾斜方向は、管内２ａを水道水Ｗａが渦を巻きながら流れていくときの渦の螺旋方向に沿う向きにする。それにより、管内２ａを流れる水道水Ｗａには、各磁石３による磁気エネルギが効率良く働くことにより、小さな磁石３でも残留塩素濃度を効果的に低下させることができる。なお、磁石３は、柔軟性を有する装着用シートに略直線状に配置し、それを後付けで管体２の管外周２ｂに取り付けるようにしてもよい。【選択図】        図１
2006043535.tif 000002
【特許請求の範囲】
【請求項１】
管内を流れる水道水を浄化する浄水機能付き管体であって、前記管内を流れる水道水の流水方向に対して斜め方向に複数の磁石を管外周に螺旋状に配置したことを特徴とする浄水機能付き管体。
【請求項２】
浄化する水道水が管内を通過する管体の外周に巻きつける柔軟性を有する装着用シートに、複数の磁石を略直線状に配置したことを特徴とする装着型浄水装置。
【発明の詳細な説明】
【技術分野】
【０００１】
この発明は、管内を流れる水道水を浄化する浄水機能付き管体、及び浄化する水道水が管内を通過する管体の外周に巻きつけて使用する装着型浄水装置に関する。
【背景技術】
【０００２】
一般家庭等に供給されている水道水は、塩素等で処理されることにより飲料水として使用しても問題がないように処理されている。
このような水道水は、図８に示すように、近年普及率が増大している温水便座器にも使用されており、それがヒータ等により温められて温水として使用されている。
このように水道水が温められると、その中に含まれている有害な塩素化合物が増加することがこれまで判っている。そして、その塩素は、例えば便のような有機物と結合すると、発ガン性物質（トリハロメタン）が発生することも判っている。
【０００３】
一方、この発ガン性物質は、肛門の粘膜が非常に吸収しやすい性質を持っており、その影響もあってか図９に示すように温水便座器の普及率の増大に比例して、直腸・結腸のガンの増加率が増大している。このような肛門からのガン発生の危険を回避するためには水道水を浄化して、その中に含まれる塩素を少なくすることが重要である。
その水道水等を浄化する従来の浄水装置としては、例えば流水経路内に浄水フィルタを組み込んだものがある。しかしながら、このタイプのものは一定期間使用するとフィルタ機能が低下してしまうため、それを交換する必要があるので、その作業が面倒であるということがあった。
【０００４】
そこで、従来の浄水装置には、例えば特許文献１に記載されているように、浄水フィルタを使用せずに、磁石の磁気エネルギにより水を浄水するようにしたものがある。この浄水装置は、互いに分割が可能であって、それを管又はパイプの外側に挾み込むように取り付けて一体に固定して使用するものであり、その２つに分割される各部には磁石が互いに対向させた状態でそれぞれ設けられている。そして、その磁石による磁気エネルギにより、管又はパイプ内を流れる液体又は気体を浄化するようにしている。
【特許文献１】登録実用新案第３０３５７６９号公報
【発明の開示】
【発明が解決しようとする課題】
【０００５】
しかしながら、特許文献１に記載の浄水装置は、磁気エネルギにより液体等を浄化する磁石の配置を、分割される各部の互いに対向する位置に配置するようにしただけの構成であるため、磁石から液体等に与える磁気エネルギは、必ずしも効率的とはいえなかった。したがって、液体等を十分に浄化するためには、磁石を大きくしたり、磁石の数を多くしたりしなければならなかったので、浄水装置が大きくなって、コストも高くなってしまうという問題点があった。
この発明は、上記の問題点に鑑みてなされたものであり、小型でありながら浄水性に優れた浄水機能付き管体を安価で提供できるようにすることを目的とする。
また、小型であって限られた小さな装着スペースであっても容易に取り付けることができる装着型浄水装置を、安価で提供できるようにすることも目的とする。
【課題を解決するための手段】
【０００６】
この発明は上記の目的を達成するため、管内を流れる水道水を浄化する浄水機能付き管体であって、上記管内を流れる水道水の流水方向に対して斜め方向に複数の磁石を管外周に螺旋状に配置した浄水機能付き管体を提供する。
また、浄化する水道水が管内を通過する管体の外周に巻きつける柔軟性を有する装着用シートに、複数の磁石を略直線状に配置した装着型浄水装置を提供する。
【発明の効果】
【０００７】
請求項１の浄水機能付き管体によれば、水道水は管内を流れる際に渦を巻きながら螺旋状に流れていくが、その螺旋方向に合わせて複数の磁石が管外周に、水道水の流水方向に対して斜め方向に螺旋状に配置してあるので、管内を流れる水道水に磁石からの磁気エネルギが最も効率よく作用して、それを浄水することができる。それにより、小さくて少ない数の磁石で浄化効率の良い浄水機能付き管体にすることができるので、それを安価に提供することができる。
【０００８】
請求項２の装着型浄水装置によれば、柔軟性を有する装着用シートに複数の磁石が略直線状に配置されているので、管内を流れる水道水の渦方向に沿って斜めに磁石を配置するように装着用シートを管外周に巻きつけて固定するだけの簡単な作業で、浄水装置を完成させることができる。したがって、限られた小さな装着スペースであっても、特別な工事を必要とせずに簡単に浄水装置を装着することができる。また、その浄水装置を安価に提供することができる。
【発明を実施するための最良の形態】
【０００９】
以下、この発明を実施するための最良の形態を図面に基づいて説明する。
図１はこの発明による浄水機能付き管体の一実施例を示す正面図である。
この浄水機能付き管体１は、水道管，パイプ，ホース等の管体２の管内２ａを流れる水道水Ｗａを、そこに含まれる塩素等を除去することにより浄化するものであり、管内２ａを流れる水道水Ｗａの矢示Ａの流水方向に対して斜め方向（傾斜角度θ）に小型の例えば円形をした多数の磁石３を管外周２ｂに螺旋状に配置し、それを接着等により固定している。
【００１０】
その磁石３を斜めに配置する方向性は、管内２ａを水道水Ｗａが渦を巻きながら流れていく際の渦の螺旋方向に沿う傾斜方向であり、北半球では図１に示すように水流方向（矢示Ａ方向）に左回りで傾斜していく方向となり、南半球では図２に示す浄水機能付き管体１′のように、水流方向（矢示Ａ方向）に右回りで傾斜していく方向となる。
そして、その各傾斜角度θは、図３を使用して以下説明するが、４５度が最適であり、３０〜６０度の範囲にすると、特に効果的である。
【００１１】
その図３に示した実験データは、管体２として水道管（外径φ１４ｍｍ）を使用し、その外周に図１に示したように螺旋方向に磁石３を３．５回転の長さで０〜１０数ｍｍの間隔を置いて連続的に固定した浄水機能付き管体を使用して行った実験結果を示すものであり、傾斜角度θを０度から９０度まで変えていき、その各傾斜角度θごとに残留塩素濃度を測定した結果である。
この実験結果によれば、傾斜角度θが０度及び９０度の傾斜していないときは残留塩素濃度が合格ラインとしている０．１ｐｐｍを超えてしまうが、それ以外の流水方向に対して斜め方向に磁石を傾斜させたものでは、残留塩素濃度が合格ラインの０．１ｐｐｍ以内になった。
そして、最も効果的に塩素を取り除くことができた磁石３の傾斜角度θは、前述したように４５度であり、３０〜６０度の範囲でも非常に良好な浄水効果が確認できた。
【００１２】
また、使用する磁石３の磁力は、大きいものほど効果が大であり、１５０ミリテスラ（磁束密度）の通常磁石よりも、１０００ミリテスラの偏向磁石を使用したものの方が、より多くの塩素を取り除くことができた。
さらに、磁石３を管体２に巻き付ける回数（長さ）と残留塩素濃度との関係は、図４に一例として磁石３の傾斜角度θを４５度にしたときの実験結果を示すように、１５０及び１０００ミリテスラのいずれの磁石を使用した場合においても、２．５回の螺旋回数で残留塩素濃度が０．１ｐｐｍ以内になった。
なお、図３及び図４において、磁石３を使用しなかったときの水道水の残留塩素濃度は１．０ｐｐｍである。
【００１３】
このように、この実施例の浄水機能付き管体１は、その管外周２ｂに巻く磁石３を、管内２ａを流れる水道水Ｗａの渦巻き方向に沿って斜めに連続させて配置しているので、その各磁石３の磁気力が水道水Ｗａに有効に作用するため、各磁石３は小さな磁力のものであっても、水道水Ｗａ内の残留塩素濃度を合格ラインである０．１ｐｐｍ以下にすることができる。
【００１４】
すなわち、管体２の外周に配置した各磁石３が管内２ａにそれぞれ磁界を作り、その磁気エネルギにより管内２ａを流れる水道水Ｗａ（温水の場合も同様）に含まれる塩素等の揮発性物質を水の分子から切り離して不活性化すると共に、その水道水Ｗａに含まれる不純物の電位を変えて不活性化して浄化する。
そして、その際に多数の磁石３は、管内２ａを螺旋状にうずを巻きながら流れていく水道水Ｗａのうず方向に沿ってそれぞれ斜めに管外周２ｂに配置してあるので、各磁石３の磁気エネルギが最も効率良く水道水Ｗａに作用する。したがって、小さな磁力のものであっても、残留塩素濃度を効果的に低下させることができる。
【００１５】
なお、図１及び図２に示した各磁石３は、それらを管体２の管外周２ｂに直接固定せずに、管体２の外側を覆う径方向に分割可能な管状のカバー部材（例えば樹脂による成形品）を設け、その分割される各カバー部材の内面に各磁石３を螺旋状に固定し、その分割された各カバー部材を管体２に両側から挟むように取り付けて一体化し、各磁石３が管外周２ｂに接触状態になるようにしてもよい。
【００１６】
図５はこの発明による装着型浄水装置の一実施例を示す正面図であり、図１と対応する部分には同一の符号を付してある。
この装着型浄水装置１０は、浄化する水道水Ｗａが管内２ａを通過する管体２の外周に巻きつける柔軟性を有する装着用シート１１に、複数の磁石３を図５に示すように対角線方向に略直線状に配置固定したものである。
そして、その各磁石３は、例えば接着により装着用シート１１に固定するが、その固定方法は接着に限るものではなく、例えば装着用シート１１を２枚のビニールシートを溶着することにより１枚に形成し、そのビニールシート間に各磁石３を挾み込んだ状態で直線状に配置して、その状態で２枚のシートのそれぞれ磁石３の回りを溶着することにより各磁石３を位置決め固定するようにしてもよいし、それ以外の方法で固定するようにしてもよい。
【００１７】
装着用シート１１は、磁石３をしっかりと固定保持することができて、水道管やパイプ等の管体２の外周面に容易に巻きつけることができる程度の柔軟性を有し、磁気エネルギに悪影響を与えるものでなければいずれのものを使用してもよいが、水回りに使用するため好ましくは耐水性を有する材料を使用するようにするとよい。
その装着用シート１１は、その形状例を例えば図５に実線で示すように矩形に形成し、その装着用シート１１の一辺１１ａに対して傾斜角度θで複数の磁石３を略直線状に固定配置（この例では対角線方向の配置）して、装着型浄水装置１０にしている。
【００１８】
そして、その傾斜角度θは、図１，図２で説明した傾斜角度θに対応するものであり、装着型浄水装置１０を取り付けようとする管体２の管内２ａを流れる水道水Ｗａの流水方向（図５の矢示Ａ方向）に対する斜め方向の角度であり、４５度が最適であるが、３０〜６０度の範囲で、特に効果的に（図３参照）浄水効果が得られる。
【００１９】
このように、後付けタイプの装着型浄水装置１０の場合には、それを既存の水道管（例えば温水便座器の配管部）等の管体２の管外周２ｂに、図５に仮想線で示したように容易に巻きつけて固定することができる。
したがって、限られた小さな装着スペースであっても、特別な工事を必要とせずに、家庭でも簡単にこの装着型浄水装置１０を水道水が流れる配管部分に装着して、水道水内に含まれる塩素を安全なレベルにまで浄水することができる。しかも、上述したような簡単な構成であるため安価にできる。
【００２０】
この装着型浄水装置１０の管体２への固定は、例えば装着用シート１１の管体２に接触させる側の面を粘着面とし、その粘着面を予め保護膜（保護用シート）で保護しておき、使用する際に、その保護膜を取り除いて露出した粘着面を管体２の外周面に貼着するようにする。
あるいは、装着用シート１１に上記のような粘着面を設けずに、それを管体２の管外周２ｂに巻き付けて、その装着用シート１１を、例えば市販の樹脂製の結束バンドで固定したり、粘着テープを巻きつけて固定したり、さらには紐等で結束することにより管体２に固定するようにしてもよい。また、それ以外の方法であっても、装着型浄水装置１０を管体２に確実に固定することができるものであれば、いずれの方法で固定するようにしてもよい。
【００２１】
なお、この実施例においても、装着型浄水装置１０を管体２に固定する場合の磁石３の流水方向に対する傾斜角θは、図１及び図２で説明した場合と同様に、北半球では図１で説明したように水流方向に左回りで傾斜していく方向に沿う傾斜角であり、南半球では図２で説明したように水流方向に右回りで傾斜していく方向に沿う傾斜角である。
【００２２】
次に、図６及び図７を参照して装着型浄水装置の他の実施例について説明する。
図６は帯状に形成した装着型浄水装置の実施例を示す正面図であり、図５と対応する部分には同一の符号を付してある。
この装着型浄水装置２０は、図６に巻き付け前の展開状態を実線で示すように、装着用シート１１′を帯状に形成し、その帯形状の長手方向に沿って複数の磁石３を略直線状に配置固定している。そして、この装着型浄水装置２０は、それを管体２の管外周２ｂに前述した各実施例で説明した傾斜角度θで、図６に仮想線で示すように巻き付けて、それを固定する。
【００２３】
この装着型浄水装置２０によれば、装着用シート１１′に余分な部分がないので、それを管体２に巻き付ける際の作業性が向上する。また、管体２に巻き付けられた２周目以降の部分を、装着用シート１１′の上に重ねないように巻き付けることができるため、２周目以降の磁石３が管体２の表面から遠くならないので、１周目の磁石３と同様に２周目以降の磁石３を管体２の管外周２ｂに密着させることができる。それにより、磁石３の磁気エネルギを管内２ａの水道水Ｗａに有効に作用させることができる。
【００２４】
なお、図６に示したように装着用シート１１′あるいは磁石３の部分に、流水方向（矢示Ａ方向）を示す印２１を磁石３の配列ラインＬＭとの角度が４５度（最適角度）になるように印刷等により形成しておけば、この装着型浄水装置２０を管体２に装着する際に、その印２１を管体２の流水方向（矢示Ａ方向）に合わせるだけで各磁石３を最適な角度（θ＝４５度）で取り付けることができるようになるので便利になる。
また、この装着型浄水装置２０は帯状であるため、磁石３の傾斜方向を変えなければならない北半球仕様と南半球仕様とで、それらを共通化することができるという利点もある。
【００２５】
図７は円形に形成した装着型浄水装置の実施例を示す正面図であり、図５と対応する部分には同一の符号を付してある。
この装着型浄水装置３０は、装着用シート１１″を円径（楕円形状にしてもよい）に形成し、その装着用シート１１″に複数の磁石３を略直線状に配置固定している。そして、この装着型浄水装置３０も、前述した各実施例で説明したものと同様に、管体２の管外周２ｂに各磁石３が前述した傾斜角度θになるように巻き付けて、それを固定する。
【００２６】
この装着型浄水装置３０は、装着用シート１１″が円形であるため磁石３の配列方向に方向性がなく、それを回転させれば自由に傾斜角度θを変えることができる。したがって、この装着型浄水装置３０も北半球仕様と南半球仕様とを共通化することができる。
なお、装着用シートの形状は、上述した各実施例の形状に限るものではなく、管体２内を流れる水道水の残留塩素濃度を磁石３の磁気エネルギにより低下させることができるものであれば、その形状は限定されるものではない。
【産業上の利用可能性】
【００２７】
この発明は、管内を流れる水道水を浄化する浄水機能付き管体、及び後付け用の装着型浄水装置として、特に温水便座器の配管部分や飲料水、さらには浴室シャワー等を含む生活用水の配管部分、あるいは外出先の水道蛇口に取り付ける携帯浄水装置として適用すると有効である。
【図面の簡単な説明】
【００２８】
【図１】この発明による浄水機能付き管体の一実施例を示す正面図である。
【図２】南半球仕様の浄水機能付き管体の例を示す図１と同様な正面図である。
【図３】管体の外周に螺旋状に設けた磁石の傾斜角度θと残留塩素濃度との関係を調べるために行った実験結果を示す線図である。
【図４】同じくその管体の外周に巻く磁石の巻き回数と残留塩素濃度との関係を調べるために行った実験結果を示す線図である。
【図５】この発明による装着型浄水装置の一実施例を示す正面図である。
【図６】同じくその装着型浄水装置の他の実施例として帯状に形成した装着型浄水装置の実施例を示す図５と同様な正面図である。
【図７】同じくその装着型浄水装置のさらに異なる他の実施例として円形状に形成した装着型浄水装置の実施例を示す図５と同様な正面図である。
【図８】温水便座器の普及率の変化を示す線図である。
【図９】直腸・結腸のガン及び胃ガンの増減率の変化を示す線図である。
【符号の説明】
【００２９】
１，１′：浄水機能付き管体    ２：管体    ２ａ：管内    ２ｂ：管外周    ３：磁石    １０，２０，３０：装着型浄水装置    １１，１１′，１１″：装着用シート
【図１】
2006043535.tif 000003
【図２】
2006043535.tif 000004
【図３】
2006043535.tif 000005
【図４】
2006043535.tif 000006
【図５】
2006043535.tif 000007
【図６】
2006043535.tif 000008
【図７】
2006043535.tif 000009
【図８】
2006043535.tif 000010
【図９】
2006043535.tif 000011